(57)【要約】【課題】キャビネット内の収納スペースを大とし得るラッチ装置の取付構造を提供する。【解決手段】扉２の下端部の後面に、ラッチ本体１０を設けるとともに、キャビネット本体における底面板６のラッチ本体１０と対向する下面に、前面と下面が開口する凹部１４を形成し、この凹部１４内に、ラッチ本体１０の係合爪８ａが係脱可能な係止片１１を突設したカバー部材１２を嵌合する。【選択図】  図３
2004162258.tif 000002
【特許請求の範囲】
【請求項１】
係止片と、該係止片に係合可能な係合爪と操作レバーを有するラッチ本体とからなるラッチ装置を、キャビネット本体の前面の開口部と、該開口部の一側部に側端が開閉可能に枢着された扉とに取付ける際のキャビネットへのラッチ装置の取付構造であって、
前記扉の下端部の後面に、前記ラッチ本体を、その後向きに突設された係合爪と操作レバーとが、斜め前下方に回動し得るように設けるとともに、キャビネット本体の底面板における前記ラッチ本体と対向する部分の下面に、前面と下面が開口する上向きの凹部を設け、該凹部内の下面に、前記係止片を、扉を閉じた状態で前記係合爪と係脱し得るように下向きに突設したことを特徴とするキャビネットへのラッチ装置の取付構造。
【請求項２】
係止片と、該係止片に係合可能な係合爪と操作レバーを有するラッチ本体とからなるラッチ装置を、キャビネット本体の前面の開口部と、該開口部の一側部に側端が開閉可能に枢着された扉とに取付ける際のキャビネットへのラッチ装置の取付構造であって、
前記扉の枢着部と反対側の側端部の後面に、前記ラッチ本体を、その後向きに突設された係合爪と操作レバーとが、斜め前側方に回動し得るように設けるとともに、キャビネット本体の側面板における前記ラッチ本体と対向する部分の外側面に、前面と外側面が開口する内向きの凹部を設け、該凹部内の側面に、前記係止片を、扉を閉じた状態で前記係合爪と係脱し得るように外側方に向かって突設したことを特徴とするキャビネットへのラッチ装置の取付構造。
【請求項３】
凹部内に、合成樹脂製のカバー部材を嵌着するとともに、該カバー部材内の下面に、係止片を一体的に突設した請求項１または２に記載のキャビネットへのラッチ装置の取付構造。
【発明の詳細な説明】
【０００１】
【発明の属する技術分野】
本発明は、前面開口部に、側端が開閉可能に枢着された扉を有するキャビネットへのラッチ装置の取付構造に関する。
【０００２】
【従来の技術】
キャビネットの中には、前面開口部に、扉の一側部を蝶番等により開閉可能に枢着するとともに、扉の後面とキャビネット本体の底面板とに、扉を閉じた状態に保持したり、開扉可能としたりするラッチ装置を設けたものがある。
【０００３】
図５は、従来のキャビネットへのラッチ装置の取付構造を示すもので、扉ａの後面の下端部にラッチ本体ｂを取付けるとともに、扉ａの下端より上方に位置させた底面板ｃの下面の前端部に、ラッチ本体ｂの上向き鉤状の係合爪ｄが係脱し得る逆Ｌ字状の係止金具ｅを取付けている。
【０００４】
【発明が解決しようとしている課題】
上述した従来のラッチ装置の取付構造では、底面板ｃを扉ａの下端より上方に位置させ、その下面に係止金具ｅが取付けられているため、キャビネット内の物品の収納スペースが小さくなるという問題がある。
【０００５】
また、係止金具ｅが底面板ｃの下面に突出して取付けられているので、下方より手を差し入れたときに係止金具ｅに触れ易く、手ざわり感も悪い。
【０００６】
本発明は、上記問題点を解決するためになされたもので、キャビネット内の収納スペースを大とするとともに、係止部材がキャビネット本体の外面に大きく突出するのを防止し得るようにしたキャビネットへのラッチ装置の取付構造を提供することを目的としている。
【０００７】
【課題を解決するための手段】
上記目的を達成するために、本発明のラッチ装置の取付構造は、係止片と、該係止片に係合可能な係合爪と操作レバーを有するラッチ本体とからなるラッチ装置を、キャビネット本体の前面の開口部と、該開口部の一側部に側端が開閉可能に枢着された扉とに取付ける際のキャビネットへのラッチ装置の取付構造であって、
前記扉の下端部の後面に、前記ラッチ本体を、その後向きに突設された係合爪と操作レバーとが、斜め前下方に回動し得るように設けるとともに、キャビネット本体の底面板における前記ラッチ本体と対向する部分の下面に、前面と下面が開口する上向きの凹部を設け、該凹部内の下面に、前記係止片を、扉を閉じた状態で前記係合爪と係脱し得るように下向きに突設したことを特徴としている。
上記構成の本発明によれば、扉の下端部の後面に設けたラッチ本体と対向する底面板の下面に、上向きの凹部を設け、この凹部内の下面に、ラッチ本体の係合爪が係脱する係止片を下向きに突設したことにより、底面板の上面の高さを、少なくとも凹部の深さ分だけ下げることが可能となり、その分、キャビネット内の収納スペースが大となる。
【０００８】
また、本発明のラッチ装置の取付構造は、係止片と、該係止片に係合可能な係合爪と操作レバーを有するラッチ本体とからなるラッチ装置を、キャビネット本体の前面の開口部と、該開口部の一側部に側端が開閉可能に枢着された扉とに取付ける際のキャビネットへのラッチ装置の取付構造であって、
前記扉の枢着部と反対側の側端部の後面に、前記ラッチ本体を、その後向きに突設された係合爪と操作レバーとが、斜め前側方に回動し得るように設けるとともに、キャビネット本体の側面板における前記ラッチ本体と対向する部分の外側面に、前面と外側面が開口する内向きの凹部を設け、該凹部内の側面に、前記係止片を、扉を閉じた状態で前記係合爪と係脱し得るように外側方に向かって突設したことを特徴としている。
この構成の本発明によれば、上記と同様、キャビネット本体の側面板を、凹部の深さ分だけ外側方にずらすことができるので、その分、キャビネット内の収納スペースが大となる。
【０００９】
上記取付構造において、凹部内に、合成樹脂製のカバー部材を嵌着するとともに、該カバー部材内の下面に、係止片を一体的に突設するのが好ましい。
このようにすると、凹部の内面がカバー部材により体裁よく覆われるとともに、係止片は、合成樹脂製のカバー部材内の下面に一体的に突設されているので、突出感は小さく、かつそれに手を触れた際の手ざわり感もよくなる。
【００１０】
【発明の実施形態】
以下、本発明の実施形態を図面に基づいて説明する。
【００１１】
図１は、本発明を適用した２個のキャビネット１，１を備える役員室等に設置されるユニット収納什器の正面図である。
【００１２】
キャビネット１における本体前面の開口部の左右両側部には、両開き式のガラス扉２，２の外側端が、図示しない蝶番により前方に開閉可能に枢着されている。
【００１３】
図２及び図３に示すように、各ガラス扉２は、その後面の外周端部に取付けられた、アルミニウム合金等よりなる方形断面の枠上フレーム３と、その前面の外周端に形成した保持溝４内に周端縁が嵌合された透明ガラス５とにより構成され、枠上フレーム３の下部後面と対向するキャビネット１内には、底面板６が、枠上フレーム３の上面とほぼ等高をなすように取付けられている。
【００１４】
キャビネット１における両ガラス扉２の互いの対向部側の枠上フレーム３の下部後面と、それに対向する底面板６の下面とには、ラッチ装置７が設けられている。
【００１５】
ラッチ装置７は、図２及び図３に示すように、後方を向き、後端に上向き鉤状の係合爪８ａを有する係合レバー８及び該係合レバー８と連動する斜め後ろ下方を向く操作レバー９を備えるラッチ本体１０と、係合爪８ａが係脱可能な下向きの係止片１１とからなり、係止片１１は、前面と下面が開口する上向き凹状断面をなす合成樹脂製のカバー部材１２の上面板１２ａの前端部下面に、一体的に連設されている。
【００１６】
ラッチ本体１０は、その長方形をなす基片１０ａが、ねじ１３により下部の枠状フレーム３の後面に固定されている。
【００１７】
係合レバー８と操作レバー９の基部は、基片１０ａに、左右方向を向く軸回りに斜め前下方に回動可能に枢着されており、かつ図示しないばねにより常時上向きに付勢されている。
【００１８】
ラッチ本体１０と対向する底面板６の下面には、前面と下面が開口する上向き方形凹状の嵌合凹部１４が形成され、この嵌合凹部１４内には、上記カバー部材１２が、両側縁と後縁に連設された取付片１２ｂを凹部１４の周囲の底面板６の下面に当接させるとともに、前端縁の上向片１２ｃの後面を嵌合凹部１４形成部の前面に当接させた状態で、取付片１２の両側部をねじ１３により底面板６の下面に固定することにより、上面板１２ａの上面が嵌合凹部１４内の下面と当接するようにして嵌合されている。
【００１９】
これにより、嵌合凹部１４の内面は、カバー部材１２により覆われている。
【００２０】
なお、カバー部材１２の後面は、手を深く挿入した際の手ざわり感を良くするために、円弧状に湾曲させてある。
【００２１】
上記実施形態において、ガラス扉２の前下方より手を挿入し、ラッチ本体１０の操作レバー９を手前に引けば、係合レバー８が下向きに回動して係合爪８ａが係止片１１より外れることにより、ガラス扉２を図２の矢印のように開くことができる。
【００２２】
また、ガラス扉２を閉じると、係合爪８ａの前端上部の傾斜面が係止片１１に当接して、一旦下向きに回動させられ、係止片１１を乗り越えたところで再度上向きに回動してそれと自動的に係合するため、ガラス扉２は閉じた状態に保持される。
【００２３】
本発明においては、上述のように、底面板６におけるラッチ本体１０と対向する部分の下面に、上向きの環合凹部１４を形成し、この凹部１４内に、上面板１２ａに下向きの係止片１１を有する上向き凹状のカバー部材１２を嵌合し、カバー部材１２内において係止片１１と係合爪８ａが係脱するようになっているため、底面板６のキャビネット１内への取付位置を、カバー部材１２の凹部の深さ分だけ低くすることができる。
【００２４】
その結果、キャビネット１内の収納スペースが大となり、より多くの物品を収納することができるようになる。
【００２５】
また、係止片１１は、合成樹脂製のカバー部材１２の上面板１２ａに一体的に形成されているため、従来のような係止金具単品のような突出感はなく、手ざわり感もよくなる。
【００２６】
図４は、本発明の他の実施形態を示す横断平面図で、この実施形態では、上記実施形態と同様の片開き式のガラス扉２の左側端の枠状フレーム３の後面に、ラッチ本体１０を取付けるとともに、それと対向するキャビネットの側面板１５の外側面に、上述と同形状の内向き凹状の嵌合凹部１４を形成し、この凹部１４内に、上述と同様、係止片１１を有するカバー部材１２を嵌合している。
【００２７】
この実施形態においても、側面板１５を、カバー部材１２の凹部の深さ分だけ外側方にずらすことができるので、キャビネット内の収納スペースを大とすることができる。
【００２８】
なお、上記実施形態においては、後面に枠状フレーム３を有するガラス扉２にラッチ本体１０を取付けているが、枠状フレーム３のない木製の扉等の場合は、その後面にラッチ本体１０を直接取付けてもよい。
【００２９】
係止片１１をカバー部材１２と一体的に形成したが、カバー部材１２を省略して、係止片１１を単体で取付けてもよい。
【００３０】
【発明の効果】
本発明によれば、次のような効果が得られる。
【００３１】
（ａ）請求項１に記載の発明によれば、キャビネット本体の底面板の下面に、上向きの凹部を設け、この凹部内の下面に、ラッチ本体の係合爪が係脱する係止片を突設しているため、底面板の取付位置を、凹部の深さ分だけ低くすることができ、キャビネット内の収納スペースが大となる。
【００３２】
（ｂ）請求項２に記載の発明によれば、キャビネット本体の側面板の取付位置を、凹部の深さ分だけ外側方にずらすことができるため、キャビネット内の収納スペースは大きくなる。
【００３３】
（ｃ）請求項３に記載の発明によれば、底面板または側面板に設けた凹部の内面が、カバー部材により体裁よく覆われるとともに、係止片は合成樹脂製のカバー部材内の下面に一体的に突設されているため、突出感は小さく、かつそれに手を触れた際の手ざわり感もよくなる。
【図面の簡単な説明】
【図１】本発明を適用したキャビネットを備えるユニット収納什器の正面図である。
【図２】ラッチ装置とその取付部の斜視図である。
【図３】図１のＩＩＩ−ＩＩＩ線の拡大縦断側面図である。
【図４】本発明の他の実施形態におけるラッチ装置取付部の横断平面図である。
【図５】従来のラッチ装置の取付構造を、キャビネットを一部切欠いて示す側面図である。
【符号の説明】
１                キャビネット
２                ガラス扉
３                枠状フレーム
４                保持溝
５                透明ガラス
６                底面板
７                ラッチ装置
８                係合レバー
８ａ              係合爪
９                操作レバー
１０              ラッチ本体
１０ａ            基片
１１              係止片
１２              カバー部材
１２ａ            上面板
１２ｂ            取付片
１２ｃ            上向片
１３              ねじ
１４              嵌合凹部
１５              側面板
【図１】
2004162258.tif 000003
【図２】
2004162258.tif 000004
【図３】
2004162258.tif 000005
【図４】
2004162258.tif 000006
【図５】
2004162258.tif 000007